(57)【要約】【課題】  ペール缶用掃除機を蓋体のないドラム缶に簡単に装着でき、速く容易に廃液をドラム缶に回収できるペール缶用掃除機をドラム缶に取り付けるためのアタッチメントと、アタッチメントを使用したドラム缶用掃除機システムを提供する。【解決手段】  ペール缶用掃除機をドラム缶に取り付けるためのアタッチメント１００は、ドラム缶３の開口部に取り付け可能であって周縁部がドラム缶３と密着して気密性を保持するようにした蓋体３Ａと、上記蓋体３Ａにあけられた孔部３Ｂに取り付けられ上部にペール缶開口部１Ａを有する筒体１と、を具備したものである。【選択図】    図１
0003172985.tif 000002
【実用新案登録請求の範囲】
【請求項１】
ドラム缶の開口部に取り付け可能であって周縁部がドラム缶と密着して気密性を保持するようにした蓋体と、上記蓋体にあけられた孔部に取り付けられ上部にペール缶開口部を有する筒体と、を具備したことを特徴とするペール缶用掃除機をドラム缶に取り付けるためのアタッチメント。
【請求項２】
蓋体の周縁部にドラム缶と密着して気密性を保持するパッキンを備えたことを特徴とする請求項１記載のペール缶用掃除機をドラム缶に取り付けるためのアタッチメント。
【請求項３】
筒体は底板を取り除いて短寸としたペール缶であり、これを蓋体の中央位置に開けた孔部に挿入・接合したものであることを特徴とする請求項１または２記載のペール缶用掃除機をドラム缶に取り付けるためのアタッチメント。
【請求項４】
上記請求項１〜３のいずれかに記載のペール缶用掃除機をドラム缶に取り付けるためのアタッチメントと、
天板のないオープンドラム缶と、
上記アタッチメントの開口部にフランジ部を連結して気密に取り付けられるペール缶用掃除機と、
を具備したことを特徴とするペール缶用掃除機を用いたドラム缶廃液回収システム。
【考案の詳細な説明】
【技術分野】
【０００１】
本考案は、工作機械のクーラント液等の廃液を回収するための回収システムに係り、特に、ペール缶用掃除機をドラム缶に取り付けるためのアタッチメントとペール缶用掃除機を用いたドラム缶廃液回収システムに関する。
【背景技術】
【０００２】
従来、工場内で発生する工作機械のクーラント液等の廃液の処理には、オープンぺール缶とこれに取り付け可能な掃除機からなるペール缶用掃除機が使用されている。その使用方法は、まず、ペール缶の開口部に掃除機を取り付け、掃除機の吸い口を廃液の溜まったタンクに差し込んで吸引する。掃除機はフロートにより１４．５リットル程度入ったところで自動停止する。次にペール缶から掃除機を取り外し、１４．５リットル程度入ったペール缶を持ち上げ廃液等をドラム缶に空ける。そして、再びぺール缶の開口部に掃除機を取り付け、上記作業を繰り返す。１８０リットルの廃液処理であると、この作業を１２〜１３回繰り返し２０分程度の時間がかかる。回収した廃液はドラム缶に蓄積しておき、一定期間毎に業者が来て吸引・回収するようになっている。
【０００３】
尚、廃物となったペール缶、ドラム缶などをダストボックスとした真空掃除器が提供されている。その構成は、フィルタとこのフィルタを叩いて塵埃を払い落す塵落とし具及び塵埃吸込口を具えた吸込室上に、ファンモータを内蔵せるファンモータ室を載架した真空掃除器において、吸込室の下部周縁を段形に屈曲して拡径部を形成し、硬質ゴム材製の環体の外周に軟質の吸着片を斜下向きに突設して形成したパッキンの環体を拡径部に嵌着し、ペール缶またはドラム缶の鏡板を切除して環体の外径よりも僅大径の開口を設け、ペール缶またはドラム缶の上部に残置した縁部に吸着片を載架すると共に環体の下部を開口に緩挿し、塵埃の吸込時に吸着片を縁部に密着させて気密を保持するものである。（例えば特許文献１参照。）。
【先行技術文献】
【特許文献】
【０００４】
【特許文献１】実開昭５７−７２８５３号公報
【考案の概要】
【考案が解決しようとする課題】
【０００５】
上記従来の構成によると次のような問題があった。
まず、ペール缶用掃除機を用いた場合は、作業者がペール缶から掃除機を取り外し、重いペール缶を持ち上げて廃液等をドラム缶に空け、再びペール缶に掃除機を取り付けるという作業を繰り返し行うため、作業が煩雑且つ面倒で時間がかかり、重量物を運ぶため女性にはきつい作業で腰を痛めたりするおそれがあり、汚れる作業で敬遠される等の問題があった。
【０００６】
また、ドラム缶に廃液等を回収するドラム缶用掃除機も提供されているが、掃除機が大型となり高価であるという問題があった。
【０００７】
本考案はこのような点に基づいてなされたものでその目的とするところは、ペール缶用掃除機を蓋体のないドラム缶に簡単に装着でき、素早く容易に廃液をドラム缶に回収できるペール缶用掃除機をドラム缶に取り付けるためのアタッチメントとペール缶用掃除機を用いたドラム缶廃液回収システムを提供することにある。
【課題を解決するための手段】
【０００８】
上記目的を達成するべく本考案の請求項１によるペール缶用掃除機をドラム缶に取り付けるためのアタッチメントは、ドラム缶の開口部に取り付け可能であって周縁部がドラム缶と密着して気密性を保持するようにした蓋体と、上記蓋体にあけられた孔部に取り付けられ上部にペール缶開口部を有する筒体と、を具備したことを特徴とするものである。
【０００９】
また、請求項２によるペール缶用掃除機をドラム缶に取り付けるためのアタッチメントは、請求項１記載のペール缶用掃除機をドラム缶に取り付けるためのアタッチメントにおいて、蓋体の周縁部にドラム缶と密着して気密性を保持するパッキンを備えたことを特徴とするものである。
【００１０】
また、請求項３によるペール缶用掃除機をドラム缶に取り付けるためのアタッチメントは、請求項１または２記載のペール缶用掃除機をドラム缶に取り付けるためのアタッチメントにおいて、筒体は底板を取り除いて短寸としたペール缶であり、これを蓋体の中央位置に開けた孔部に挿入・接合したものであることを特徴とするものである。
【００１１】
また、請求項４によるペール缶用掃除機を用いたドラム缶廃液回収システムは、上記請求項１〜３のいずれかに記載のペール缶用掃除機をドラム缶に取り付けるためのアタッチメントと、天板のないオープンドラム缶と、上記アタッチメントの開口部にフランジ部を連結して気密に取り付けられるペール缶用掃除機と、を具備したことを特徴とするものである。
【考案の効果】
【００１２】
以上述べたように、本考案のペール缶用掃除機をドラム缶に取り付けるためのアタッチメントによると、ドラム缶の開口部に取り付け可能であって周縁部がドラム缶と密着して気密性を保持するようにした蓋体と、上記蓋体にあけられた孔部に取り付けられ上部にペール缶開口部を有する筒体と、を具備したことを特徴としているので、ペール缶から外したペール缶用掃除機を本アタッチメントに取り付け、これをドラム缶の上に載せるだけで、吸引をはじめて５分程度でドラム缶一杯まで廃液を回収することができる。
しかも、この作業は簡単で女性でも容易にできるし、汚れるおそれも全くない。
【００１３】
また、請求項２によるペール缶用掃除機をドラム缶に取り付けるためのアタッチメントによると、請求項１記載のペール缶用掃除機をドラム缶に取り付けるためのアタッチメントにおいて、蓋体の周縁部にドラム缶と密着して気密性を保持するパッキンを備えたものであるので、本アタッチメントをドラム缶の開口部により密着させることができ、真空状態を維持することができる。
【００１４】
また、請求項３のペール缶用掃除機をドラム缶に取り付けるためのアタッチメントによると、請求項１または２記載のペール缶用掃除機をドラム缶に取り付けるためのアタッチメントにおいて、上記筒体は底板を取り除いて短寸としたペール缶であり、これを上記蓋体の中央位置に開けた孔部に挿入・接合したものであるので、市販のペール缶やオープンドラム缶用の蓋を利用した製品の製造が容易にでき、安価に提供することができる。
【００１５】
また、請求項４によるペール缶用掃除機を用いたドラム缶廃液回収システムによると、上記請求項１〜３のいずれかに記載のペール缶用掃除機をドラム缶に取り付けるためのアタッチメントと、天板のないオープンドラム缶と、上記アタッチメントの開口部にフランジ部を連結して気密に取り付けられるペール缶用掃除機と、を具備したことを特徴としているので、大型のドラム缶用掃除機を不要とし、安価なペール缶用掃除機でドラム缶への廃液の回収が可能となり、省力化と経費の節減を図ることができる。
【図面の簡単な説明】
【００１６】
【図１】本考案の第１の実施の形態を示す図で、ペール缶用掃除機を用いたドラム缶廃液回収システムの展開斜視図である。
【図２】本考案の第１の実施の形態を示す図で、本アタッチメントを上面側から観た斜視図である。
【図３】本考案の第１の実施の形態を示す図で、本アタッチメントを下面側から観た斜視図である。
【図４】本考案の第１の実施の形態を示す図で、本アタッチメントの断面図である。
【図５】本考案の第１の実施の形態を示す図で、ペール缶用掃除機を本アタッチメントに取付けた状態を上面側から観た斜視図である。
【図６】本考案の第１の実施の形態を示す図で、ペール缶用掃除機を本アタッチメントに取付けた状態を下面側から観た斜視図である。
【図７】本考案の第１の実施の形態を示す図で、ペール缶用掃除機を本アタッチメントに取付けた状態を示す断面図である。
【図８】本考案の第１の実施の形態を示す図で、ペール缶用掃除機を本アタッチメントに取り付けドラム缶の上に載せた状態を示す断面図である。
【考案を実施するための形態】
【００１７】
以下、図１０〜図８を参照して本考案の一実施の形態であるペール缶用掃除機をドラム缶に取り付けるためのアタッチメント５とペール缶用掃除機を用いたドラム缶廃液回収システム１００を説明する。
本発明のペール缶用掃除機をドラム缶に取り付けるためのアタッチメント５は、ドラム缶３の開口部に取り付け可能であって周縁部がドラム缶３と密着して気密性を保持するようにした蓋体３Ａと、上記蓋体３Ａにあけられた孔部３Ｂに取り付けられ上部にペール缶開口部１Ａを有する筒体１と、を具備することにより基本的に構成されている。
【００１８】
本アタッチメント５において、筒体１は市販のペール缶の底板側を切断して短寸に加工した形状で、筒体１の中腹１Ｂを蓋体３Ａの中央位置に開けた孔３Ｂに挿入し、両者の接続部分を接合させた形状となっている。蓋体３Ａはドラム缶３に丁度被せられる大きさの蓋形状をなすものであり、市販のオープンドラム缶用の蓋と同じ形状である。
したがって、上記筒体１における開口部１Ａに、真空吸引式のペール缶用掃除機１０のフランジ部１０Ａを取り付けることができ、また、上記蓋体３Ａはドラム缶３の開口部に載せることができるようになっている。
尚、上記ペール缶用掃除機１０については、市販されている製品を利用でき、フランジ部１０ＡにはパッキンＰ１が取り付けられていて、ペール缶の開口部と密着するようになっており、さらに、側部の２箇所に対向して設けられたカム付ハンドル９によりペール缶の開口部に強固に連結される構成になっている。
【００１９】
上記アタッチメント５の具体的構成をさらに詳細に説明する。
まず、ペール缶の底側を切断して短寸に加工し、筒体１とする。筒体１は、この外周中腹１Ｂを蓋体３Ａの中央位置に開けた孔部３Ｂにその略１／３位置まで挿入して一体接合させる。筒体１は鉄製であり、蓋体３Ａはステンレス鋼製である。この場合には筒体１の外周と蓋体３Ａの孔部３Ｂとの接合部は、コ―キング材７により接合されている。
尚、筒体１と蓋体３Ａとは、鉄製、ステンレス鋼製、アルミニウム合金製のいずれとしてもよく、この場合には溶接により接合しても良い。また、必要に応じて一体成形しても良い。
【００２０】
また、図３と図４に示すように、蓋体３Ａの周縁部５Ａ下面の凹溝部Ｂには、リング状の合成樹脂製叉はゴム製のパッキンＰが嵌め込まれている。これは、ドラム缶３の頂部外周縁部３Ｃと蓋体３Ａの周縁部５Ａ下面との間に多少隙間があるような場合でも、本アタッチメントをドラム缶に密着させることができ、真空状態を維持することができるようにするためのものである。尚、変形等のない蓋体３Ａであれば、パッキンＰはなくても良く、真空引きによって内部を真空状態とすることができる。
また、図３と図４に示すように、筒体の下端周縁部１Ｃには、合成樹脂製叉はゴム製の保護リングＲが片側を切開して嵌め込まれている。これは、本アタッチメント５を取り付けたり外したりする際に、作業者が触れて手を切ったりするおそれをなくすためのものである。
【００２１】
次に、図５〜図７を参照して真空式のペール缶用掃除機１０を説明する。ペール缶用掃除機１０は、図６に示すように、フランジ部１０Ａと、このフランジ部１０Ａの上に載置した吸込室１３と、この吸込室１３の上に連結したファンモータＭと、このカバー１５と、吸引口１７に接続した吸引ホース１２と、上記フランジ部１０Ａの外周対向位置に設置したカム付ハンドル９を備えている。また、上記フランジ部１０Ａの外周下面には、ペール缶１の開口頂部１Ｄとの接合環にゴムパッキンＰ１が嵌め込まれている。上記フランジ部１０Ａの下部には、排出口１９Ａ付近に枠体１９が取り付けられており、この内部にフロートＦを備え、ドラム缶に廃液Ｈが満杯になる手前で、排出口１９Ａを塞いで吸引を停止するようになっている。上記カム付ハンドル９の詳細構成は、上記フランジ部１０Ａの外周対向位置に付設した垂直姿勢の軸受体２３，２５に、ハンドル９Ａの軸棒９Ｂを上方から挿入し、軸受体２３，２５の下面から突出する軸端に偏心カム９Ｃが取り付けられている。
【００２２】
これにより、図７に示すように、ハンドル９Ａで偏心カム９Ｃの軸芯Ｏからカム面までの半径が極小の時は、偏心カム９Ｃがペール缶１の開口筒部の外周面から離反して着脱自在なアンクランプ状態となる。また、ハンドル９Ａで偏心カム９Ｃの軸芯Ｏからカム面までの半径が極大の時は、偏心カム９Ｃがペール缶１の開口筒部の外周面に密着且つ押圧してクランプ状態となる。この状態で、図５と図８に示すように、上記アタッチメント５の周縁部５Ａ下面の凹溝部Ｂをドラム缶３の頂部外周３Ｃに載せ、ペール缶用掃除機１０により真空状態とすることにより気密に接合される。そして、廃液Ｈを真空引きしてドラム缶３内に回収する。
【００２３】
本考案のペール缶用掃除機をドラム缶に取り付けるためのアタッチメント５とペール缶用掃除機を用いたドラム缶廃液回収システム１００は、上記のように構成されており、次のように作動させてドラム缶への廃液Ｈ回収を実施する。
先ず、図６に示すように、ペール缶用掃除機１０において、二つのカム付ハンドル９のハンドル９Ａによる操作で、偏心カム９Ｃの軸芯Ｏからカム面までの半径が極小側をペール缶１の開口筒部の外周面側とする。これで、偏心カム９Ｃが開口筒部の外周面から離反したアンクランプ状態とする。続いて、図５と図７に示すように、ペール缶用掃除機１０をアタッチメント５上に載せる。
【００２４】
次に、図７から図８に示すように、カム付ハンドル９を１／２回転近く操作して偏心カム９Ｃの軸芯Ｏからカム面までの半径の極大側をペール缶１の開口筒部の外周面に密着させ押圧してクランプ状態とする。この状態で、図８に示すように、ペール缶用掃除機１０を搭載したアタッチメント５は、その周縁部５Ａ下面の凹溝部Ｂをドラム缶の頂部周縁部３Ｃに載せる。これにより、筒体の外周縁５Ａ下面の凹溝部Ｂに嵌め込まれたリング状のパッキンＰがドラム缶の頂部周縁部３Ｃに密着し気密に接合される。この後、ペール缶用掃除機１０のファンモータＭを起動してドラム缶内を負圧Ｅとなるように真空引きする。これで、工作機械等のクーラントタンク内の廃液Ｈは、吸引ホース１２を介して排出口１９Ａからドラム缶３内に回収される。
【００２５】
次に、ドラム缶内に約２００リットルの廃液Ｈが溜められると、フロートＦが上昇して排出口１９Ａを塞いで吸引が停止する。
そして、満タン状態のドラム缶は搬送用のキャリヤやクレーン、フォークリフト等により、工場内の廃液貯蔵庫に運搬される。その後は、ペール缶用掃除機１０をペール缶に戻して取り付けても良いし、別の空のドラム缶に載せてキャリヤ等により、再び廃液の回収現場へ搬送しても良い。
【００２６】
以上、本実施の形態によると次のような効果を奏することができる。
まず、本アタッチメント５によると、ドラム缶の開口部に取り付け可能であって周縁部がドラム缶と密着して気密性を保持するようにした蓋体と、上記蓋体にあけられた孔部に取り付けられ上部にペール缶開口部を有する筒体と、を具備したことを特徴としているので、ペール缶から外したペール缶用掃除機を本アタッチメントに取り付け、これをドラム缶の上に載せるだけで、吸引をはじめて５分程度の短時間で、ドラム缶一杯まで２００リットル程度の廃液を一挙に回収することができる。ドラム缶が満杯になると吸引を自動停止するので回収作業をより簡単且つ容易にすることができる。
しかも、この作業は簡単で女性でも容易にできるし、汚れるおそれも全くない。
【００２７】
また、蓋体の周縁部にドラム缶と密着して気密性を保持するパッキンを備えたものである場合には、蓋体とドラム缶の開口部との間に多少隙間があるような場合でも、本アタッチメントをドラム缶により密着させることができ、真空状態を維持することができる。
また、上記筒体は底板を取り除いて短寸としたペール缶であり、これを上記蓋体の天板の中央位置に開けた開口部に挿入・接合したものである場合には、市販のペール缶やオープンドラム缶用の蓋を利用した製品の製造が容易にでき、安価に提供することができる。
【００２８】
また、ペール缶用掃除機を用いたドラム缶廃液回収システム１００を、本アタッチメント５と、天板のないオープンドラム缶３と、上記アタッチメントの開口部にフランジ部を連結して気密に取り付けられるペール缶用掃除機１０と、で構成した場合には、大型のドラム缶用掃除機が不要となり、小型で安価なペール缶用掃除機でドラム缶への廃液の回収が可能となり、省力化と経費の節減を図ることができる。
【００２９】
尚、本考案は前記一実施の形態に限定されるものではなく、考案の要旨内での設計変更が可能である。
まず、ペール缶掃除機１０は、電動式のものを図示したが、コンプレッサーからのエアーを駆動源としてエゼクターで吸引する圧縮エアー式のものを使用しても良い。
また、本アタッチメント５の製造方法は上記の実施の形態のものに限られず、種々の方法を採り得るものであり、例えばプレス成形や絞り成形により一体成形したものでも良い。また、筒体１と蓋体３Ａとの接合方法も、コーキングや溶接に限らず、例えば接着等によっても良い。
また、ドラム缶３との接合部に気密性を持たせる方法としては、パッキンに代えて、爪によって胴体に締め付けたり、バンドによって胴体に締め付けたりするものを採用することも可能である。
【産業上の利用可能性】
【００３０】
本考案は、ペール缶用掃除機をドラム缶に取り付けるためのアタッチメントとペール缶用掃除機を用いたドラム缶廃液回収システムに係り、特に、工作機械のクーラント液の回収に使用されるものであるが、これに限られず、各種製品を製造する工場内やその他の自然環境下で発生する各種廃液の回収にも広く適用できる。
【符号の説明】
【００３１】
１          筒体（ペール缶）
１Ａ        開口部
１Ｂ        中腹部
１Ｃ        下端周縁部
３          ドラム缶
３Ａ        蓋体
３Ｂ        孔部
３Ｃ        頂部周縁部
５          アタッチメント
５Ａ        周縁部
７          コ―キング材
９          カム付ハンドル
９Ａ        ハンドル
９Ｂ        軸棒
９Ｃ        偏心カム
１０        ペール缶用掃除機
１０Ａ      フランジ部
１２        吸引ホース
１３        吸込室
１５        カバー
１７        吸引口
１９        枠体
１９Ａ      排出口
２３，２５  軸受体
１００      ドラム缶廃液回収システム
Ｂ          凹溝部
Ｅ          負圧
Ｆ          フロート
Ｈ          廃液
Ｍ          ファンモータ
Ｏ          軸芯
Ｐ          パッキン
Ｐ１        パッキン
Ｒ          保護リング
【図１】
0003172985.tif 000003
【図２】
0003172985.tif 000004
【図３】
0003172985.tif 000005
【図４】
0003172985.tif 000006
【図５】
0003172985.tif 000007
【図６】
0003172985.tif 000008
【図７】
0003172985.tif 000009
【図８】
0003172985.tif 000010
【手続補正書】
【提出日】平成23年11月11日(2011.11.11)
【手続補正１】
【補正対象書類名】明細書
【補正対象項目名】００１８
【補正方法】変更
【補正の内容】
【００１８】
本アタッチメント５において、筒体１は市販のペール缶の底板側を切断して短寸に加工した形状で、筒体１の中腹部１Ｂを蓋体３Ａの中央位置に開けた孔部３Ｂに挿入し、両者の接続部分を接合させた形状となっている。蓋体３Ａはドラム缶３に丁度被せられる大きさの蓋形状をなすものであり、市販のオープンドラム缶用の蓋と同じ形状である。
したがって、上記筒体１における開口部１Ａに、真空吸引式のペール缶用掃除機１０のフランジ部１０Ａを取り付けることができ、また、上記蓋体３Ａはドラム缶３の開口部に載せることができるようになっている。
尚、上記ペール缶用掃除機１０については、市販されている製品を利用でき、フランジ部１０ＡにはパッキンＰ１が取り付けられていて、ペール缶の開口部と密着するようになっており、さらに、側部の２箇所に対向して設けられたカム付ハンドル９によりペール缶の開口部に強固に連結される構成になっている。
【手続補正２】
【補正対象書類名】明細書
【補正対象項目名】００２１
【補正方法】変更
【補正の内容】
【００２１】
次に、図５〜図７を参照して真空式のペール缶用掃除機１０を説明する。ペール缶用掃除機１０は、図６に示すように、フランジ部１０Ａと、このフランジ部１０Ａの上に載置した吸込室１３と、この吸込室１３の上に連結したファンモータＭと、このカバー１５と、吸引口１７に接続した吸引ホース１２と、上記フランジ部１０Ａの外周対向位置に設置したカム付ハンドル９を備えている。また、上記フランジ部１０Ａの外周下面には、ペール缶１の開口部１Ａとの接合環にゴムパッキンＰ１が嵌め込まれている。上記フランジ部１０Ａの下部には、排出口１９Ａ付近に枠体１９が取り付けられており、この内部にフロートＦを備え、ドラム缶に廃液Ｈが満杯になる手前で、排出口１９Ａを塞いで吸引を停止するようになっている。上記カム付ハンドル９の詳細構成は、上記フランジ部１０Ａの外周対向位置に付設した垂直姿勢の軸受体２３，２５に、ハンドル９Ａの軸棒９Ｂを上方から挿入し、軸受体２３，２５の下面から突出する軸端に偏心カム９Ｃが取り付けられている。
【手続補正３】
【補正対象書類名】図面
【補正対象項目名】図７
【補正方法】変更
【補正の内容】
【図７】
0003172985.tif 000011